(57)【特許請求の範囲】
【請求項１】
室外吸込口から熱交換器を介して室内吹出口に通じる給気風路、室内吸込口から上記熱交換器を介して室外吹出口に通じる排気風路、上記給気風路に設けられた給気用送風機、上記排気風路に設けられた排気用送風機及び上記給気用送風機と上記排気用送風機を制御する制御装置を備えた換気装置において、
上記給気風路に設けられた外気温度を検知する外気温度検知手段と、
給気装置とを備え、
上記制御装置は、上記外気温度検知手段により検知された外気温度が第１設定温度以下であり、上記第１設定温度よりさらに低い、第２設定温度を越えるとき、上記給気用送風機を所定時間運転及び停止を繰り返す間欠運転制御手段と、
上記検知された外気温度が上記第２設定温度以下であるときに、上記給気用送風機を停止し、第３種換気に切り替え、外気温度を検知するため上記給気用送風機を一定周期、最短時間低風量で運転する１種３種切替制御手段と、
検知された外気温度が第２設定温度以下となり、第３種換気に切り替えたときに、上記給気装置のダンパーを開ける給気装置制御手段と、
を備えたことを特徴とする換気装置。
【請求項２】
第３種換気に切替えたことを表示する表示手段を備え、制御装置に、検知された外気温度が第２設定温度以下となり、第３種換気に切り替えたことを上記表示手段に表示させる表示制御手段を備えたことを特徴とする請求項１記載の換気装置。
【請求項３】
第１設定温度及び第２設定温度を使用地域毎にそれぞれ設定したことを特徴とする請求項１又は請求項２記載の換気装置。
【請求項４】
使用地域が温暖地のときは、第１設定温度を−５℃、第２設定温度を−１０℃としたことを特徴とする請求項３記載の換気装置。
【請求項５】
使用地が寒冷地のときは、第１設定温度を−１０℃、第２設定温度を−１５℃としたことを特徴とする請求項３記載の換気装置。
【請求項６】
使用地が極寒冷地のときは、第１設定温度を−１５℃、第２設定温度を−２０℃としたことを特徴とする請求項３記載の換気装置。
【請求項７】
制御装置に、第１設定温度及び第２設定温度を任意に設定することができる温度設定手段を備えたことを特徴とする請求項１又は請求項２記載の換気装置。
【請求項８】
制御装置に、換気装置設置場所の温湿度を検知する温湿度検知手段を備え、上記検知された温湿度によって、第１設定温度及び第２設定温度を自動的に設定する自動温度設定手段を備えたことを特徴とする請求項１又は請求項２記載の換気装置。
【請求項９】
室外吸込口から熱交換器を介して室内吹出口に通じる給気風路、室内吸込口から上記熱交換器を介して室外吹出口に通じる排気風路、上記給気風路に設けられた給気用送風機、上記排気風路に設けられた排気用送風機及び上記給気用送風機と上記排気用送風機を制御する制御装置を備えた換気装置において、
上記給気風路に設けられた外気温度を検知する外気温度検知手段を備え、
上記制御装置は、上記外気温度検知手段により検知された外気温度が第１設定温度以下であり、上記第１設定温度よりさらに低い、第２設定温度を越えるとき、上記給気用送風機を所定時間運転及び停止を繰り返す間欠運転制御手段と、
上記検知された外気温度が上記第２設定温度以下であるときに、上記給気用送風機を停止し、第３種換気に切り替え、外気温度を検知するため上記給気用送風機を一定周期、最短時間低風量で運転する１種３種切替制御手段と、換気装置設置場所の温湿度を検知する温湿度検知手段と、上記検知された温湿度によって、第１設定温度及び第２設定温度を自動的に設定する自動温度設定手段と、
を備えたことを特徴とする換気装置。
【請求項１０】
外気温度検知手段により検知された外気温度によらず、給気用送風機を所定時間連続運転をする、試運転手段を備えたことを特徴とする請求項１〜請求項９のいずれかに記載の換気装置。
【発明の詳細な説明】
【０００１】
【発明の属する技術分野】
この発明は、熱交換器を用いた換気装置に関するものである。
【０００２】
【従来の技術】
図８は従来の熱交換器を用いた換気装置を示す平面構成図である。図において、本体１内に熱交換器２が収納され、室外吸込口１ａから熱交換器２を介して室内吹出口１ｂに至る給気風路と、室内吸込口１ｃから熱交換器２を介して室外吹出口１ｄに至る排気風路が形成されている。なお、矢印Ａは給気流、矢印Ｂは排気流を示す。
そして、給気風路及び排気風路には、それぞれ給気用送風機３、及び排気用送風機４が設置されている。
【０００３】
従来の換気装置は上記のように構成され、室内に設置してある運転切替スイッチを手動操作すると、制御装置６が動作し、給気用及び排気用送風機３、４は同時に運転を開始し、給気流Ａ及び排気流Ｂが発生する。このように、熱交換器２を介して給排気することにより、熱回収しながら換気が行われ、冷暖房中の熱損失を少なくし、新鮮な空気を室内に取り入れるとともに、室内の汚れた空気を排出する。運転切替スイッチから停止要求があれば、給気用及び排気用送風機３、４は共に停止する。
【０００４】
【発明が解決しようとする課題】
しかしながら、上記のような従来の熱交換器を用いた換気装置では、給気用及び排気用送風機３、４は常に同時に運転・停止（強制同時給排運転）するため、寒冷地での冬期等に室外温度が著しく低下した場合には、排気側空気が給気側空気によって冷却され、そのときに排気空気の含有水蒸気が熱交換器２内で氷結し、排気風量が低下するという問題点があった。
また、異常気象等により外気温が使用温度範囲以下となった場合や、本体１の設置場所が高温多湿である場合、室外吸込口１ａから吸込んだ外気により本体１が冷やされ、本体１の外表面が結露し、結露水が滴下し天井を濡らし天井に影響を与えるという問題点があった。
【０００５】
この発明は、上記のような課題を解決するためになされたもので、排気風量が低下することを防ぎ、かつ、装置１の外表面に結露水が付着することを防ぐことができる換気装置を提供することを目的とする。
【０００６】
【課題を解決するための手段】
第１の発明に係る換気装置は、室外吸込口から熱交換器を介して室内吹出口に通じる給気風路、室内吸込口から上記熱交換器を介して室外吹出口に通じる排気風路、上記給気風路に設けられた給気用送風機、上記排気風路に設けられた排気用送風機及び上記給気用送風機と上記排気用送風機を制御する制御装置を備えた換気装置において、上記給気風路に設けられた外気温度を検知する外気温度検知手段を備え、給気装置を設け、上記制御装置は、上記外気温度検知手段により検知された外気温度が第１設定温度以下であり、上記第１設定温度よりさらに低い、第２設定温度を越えるとき、上記給気用送風機を所定時間運転及び停止を繰り返す間欠運転制御手段と、上記検知された外気温度が上記第２設定温度以下であるときに、上記給気用送風機を停止し、第３種換気に切り替え、外気温度を検知するため上記給気用送風機を一定周期、最短時間低風量で運転する１種３種切替制御手段と、検知された外気温度が第２設定温度以下となり、第３種換気に切り替えたときに、上記給気装置のダンパーを開ける給気装置制御手段と、を備える。
【０００７】
第２の発明に係る換気装置は、第３種換気に切替えたことを表示する表示手段を備え、制御装置に、検知された外気温度が第２設定温度以下となり、第３種換気に切り替えたことを上記表示手段に表示させる表示制御手段を備える。
【０００９】
第３の発明に係る換気装置は、第１設定温度及び第２設定温度を使用地域毎にそれぞれ設定したものである。
【００１０】
第４の発明に係る換気装置は、使用地域が温暖地のときは、第１設定温度を−５℃、第２設定温度を−１０℃としたものである。
【００１１】
第５の発明に係る換気装置は、使用地が寒冷地のときは、第１設定温度を−１０℃、第２設定温度を−１５℃としたものである。
【００１２】
第６の発明に係る換気装置は、使用地が極寒冷地のときは、第１設定温度を−１５℃、第２設定温度を−２０℃としたものである。
【００１３】
第７の発明に係る換気装置は、制御装置に、第１設定温度及び第２設定温度を任意に設定することができる温度設定手段を備える。
【００１４】
第８の発明に係る換気装置は、制御装置に、換気装置設置場所の温湿度を検知する温湿度検知手段を備え、上記検知された温湿度によって、第１設定温度及び第２設定温度を自動的に設定する自動温度設定手段を備える。
第９の発明に係る換気装置は、室外吸込口から熱交換器を介して室内吹出口に通じる給気風路、室内吸込口から上記熱交換器を介して室外吹出口に通じる排気風路、上記給気風路に設けられた給気用送風機、上記排気風路に設けられた排気用送風機及び上記給気用送風機と上記排気用送風機を制御する制御装置を備えた換気装置において、上記給気風路に設けられた外気温度を検知する外気温度検知手段を備え、制御装置に、上記外気温度検知手段により検知された外気温度が第１設定温度以下であり、上記第１設定温度よりさらに低い、第２設定温度を越えるとき、上記給気用送風機を所定時間運転及び停止を繰り返す間欠運転制御手段と、上記検知された外気温度が上記第２設定温度以下であるときに、上記給気用送風機を停止し、第３種換気に切り替え、外気温度を検知するため上記給気用送風機を一定周期、最短時間低風量で運転する１種３種切替制御手段と、換気装置設置場所の温湿度を検知する温湿度検知手段を備え、上記検知された温湿度によって、第１設定温度及び第２設定温度を自動的に設定する自動温度設定手段を備える。
【００１５】
第１０の発明に係る換気装置は、外気温度検知手段により検知された外気温度によらず、給気用送風機を所定時間連続運転をする、試運転手段を備える。
【００１６】
【発明の実施の形態】
実施の形態１．
図１はこの発明の実施の形態１を示す換気装置の平面構成図、図２は動作フローチャート、図３は外気温度とタイムチャートの関係を示す図である。
図１において、１は換気装置本体、１ａは外気を本体１に取込むために設けられた室外吸込口、１ｂは熱交換された新鮮な空気を室内に供給するための室内吹出口、１ｃは室内の空気を本体１に取込むための室内吸込口、１ｄは熱交換され室外に排出するための室外吹出口、２は本体１内に収納された熱交換器で、風路を確保する多数の波形板と伝熱性を有する多数の平板とを交互に積層し、かつ波形板は交互にその波形形成方向を９０°変えて介挿させることによって角柱状に形成されている。
【００１７】
本体１内には、室外吸込口１ａから熱交換器２を介して室内吹出口１ｂに至り給気流Ａを通じる給気風路を形成するための給気用送風機３と、室内吸込口１ｃから熱交換器２を介して室外吹出口１ｄに至り排気流Ｂを通じる排気風路が形成するための排気用送風機４が設置される。
５は本体１内に取込まれた外気の温度を検知する外気温度検知手段である外気温度検知器、６は外気温度検知器５により検知された温度に応じて、給気用送風機３及び排気用送風機４を制御する制御装置である。
【００１８】
制御装置６は、外気温度検知器５により検知された外気温度があらかじめ設定された第１設定温度以下であり、第１設定温度よりさらに低い、第２設定温度を越えるときに、給気用送風機３を所定時間運転及び停止を繰り返す間欠運転制御手段（図示せず）と、検知された外気温度が第２設定温度以下であるときに、給気用送風機３を停止し、排気のみ行う第３種換気に切り替え、外気温度を検知するため給気用送風機３を一定周期、最短時間低風量で運転し、給排気を同時に行う第１種換気法から第３種換気法に切替える１種３種切替制御手段（図示せず）から構成される。
【００１９】
次に、この実施形態１の動作を説明するに先立って、換気装置の通常運転について説明する。操作者が運転切替スイッチにより運転要求すると、制御装置６を介して給気用送風機３、排気用送風機４は同時に運転を開始し、給気流Ａ及び排気流Ｂが発生する。給気流Ａ及び排気流Ｂは熱交換器２を構成する波形板と伝熱性の良い平板を流通し、熱回収しながら換気が行われ、冷暖房中の熱損失を少なくし、新鮮な空気を室内に取り入れるとともに、室内の汚れた空気を排出する。そして、運転切替スイッチから停止要求があれば、給気用及び排気用送風機３、４はともに停止する。
【００２０】
次に、この実施の形態の動作を図２、図３を参照して説明する。なお、このフローチャートのプログラムは制御装置６のマイクロコンピュータのＲＯＭ等（図示せず）に記憶されている（以下の実施の形態も同じ）。図２に示すステップＳ１で運転切替スイッチスイッチ（図示せず）により運転要求すると（図３のｔ１）、制御装置６を介して給気用送風機３、排気用送風機４は同時に通常運転を開始しする。ステップＳ２で外気温度検知器５の温度、すなわち外気温を読み込む。ステップＳ３で外気温が第１設置温度を越えているかを判断し、越えていればステップＳ２へ戻って通常運転を行う（図３のｔ１〜ｔ２）。
【００２１】
外気温が低下して、第１設定温度以下になると、ステップＳ４へ進んで、外気温が第２設定温度を越えているかを判断する。外気温が第２設定温度を越えていればステップＳ５へ進みＴａ分間給気用送風機３を停止する。Ｔａ分間経過すると、ステップＳ６へ進み給気用送風機３をＴｂ分間運転した後ステップＳ２へ戻る。これで、冷却された給気流ＡはＴａ分間通流しないので、熱交換器２の霜は排気流Ｂによって加温され融解する。ここで、ステップＳ２〜Ｓ６は間欠運転制御手による制御を示している（図３のｔ２〜ｔ３）。
【００２２】
外気温が第２設定温度以下であると、ステップＳ７へと進み給気用送風機３はあるＴｃ分間停止となる。Ｔｃ分間経過すると、ステップＳ８へ進み外気温を検知するため給気用送風機３を最短時間低風量で運転した後ステップＳ２へ戻る（図３のｔ３〜ｔ４）。ここで、ステップＳ２〜Ｓ４、Ｓ７、Ｓ８は１種３種切替制御手段による制御を示している。そして、運転切替えスイッチにより運転を停止させる（図３のｔ４）。これで、冷却された給気流ＡはＴｃ分間通流しないので、熱交換器２の霜は排気流Ｂによって加温され融解する。また、室外吸込口から冷気が流入しないので、本体１は内側から冷やされることなく設置場所の温度へ近づき、結露に至るのを防ぐことができる。
【００２３】
このようにして、外気温が第２設定温度を越え第１設定温度以下となった場合には間欠運転制御手段が作動し、給気用送風機３が停止している間、冷却された給気流Ａは通流しないので、室内からの排気流Ｂの熱で熱交換器２が暖められ、室外空気による冷却で発生した霜等を除去し、排気流Ｂの風量が著しく低下することを防止することが可能となる。
【００２４】
また、外気温が第２設定温度以下となった場合には、１種３種切替制御手段が作動し、間欠運転制御手段作動時の給気送風機３の停止時同様、排気流Ｂの風量が著しく低下することを防止することが可能となりかつ、本体１は内側から冷気の流入により冷やされることなく本体外表面の温度は設置場所の温度へ近づき、結露に至るのを防ぐことができる。また外気温を検知するときにも、給気用送風機３のみ低風量運転とするため外気から本体１の内面への熱伝達率を低くし、かつ外気温を検知するための時間を最短にすることにより、外気から本体１に伝わる伝熱量を最小限に止め、本体１の外表面の結露を防ぐことに効果がある。
給気用送風機３が停止されている間も、排気用送風機４は運転されているため換気は継続可能である。
【００２５】
以上のように、外気温にて通常運転、間欠運転、第３種換気運転と切り替えることによって、冷却された給気流により熱交換器２に付着した霜等を、室内からの排気流の熱で熱交換器２が暖められ、排気流の風量が著しく低下することを防止することができる。
また、本体１は内面からの冷気により冷やされ本体外表面に結露水等付着し天井への結露水滴下や天井への影響を防ぐことができる。
また、第３種換気運転中に外気温を検知するときにも、給気用送風機のみ低風量運転とするため外気から本体内面への熱伝達率を低くし、かつ外気温を検知するための時間を最小限にすることにより、外気から本体１に伝わる伝熱量を最小限に止め、本体１の外表面の結露を防ぐことができる。
【００２６】
実施の形態２．
図４はこの発明の実施の形態２を示す換気装置の平面構成図、図５は動作フローチャートである。図４において、実施の形態１の図１と同一部分は同一符号を付し説明を省略する（以下の実施の形態も同じ）。７は外部に設置された表示器であり、制御手段は表示制御手段（図示せず）を備える。
【００２７】
次に、この実施の形態２の動作を図５を参照して説明する。
Ｓ１で運転切替スイッチスイッチにより、給気用送風機３、排気用送風機４は同時に通常運転を開始しする。ステップＳ２で外気温度検知器５により外気温を読み込む。ステップＳ３で外気温が外気温が第１設定温度以下になると、ステップＳ４へ進む。第２設定温度以下であると、ステップＳ７に進み、給気用送風機３を停止してステップＳ１１へ進む。ステップＳ１１では第１種換気から第３種換気に切替ったことを制御部６の表示制御手段により、表示器７に表示させる。次に、ステップＳ８へ進み外気温を検知するため給気用送風機３を最短時間低風量で運転した後ステップＳ２へ戻る。
【００２８】
ステップＳ３で外気温が第１設置温度を越えていれば、ステップＳ１２に進み、
第３種換気であることの表示を解除し、ステップＳ２へ戻って通常運転を行う。
ステップＳ４で第２設定温度を越えていればステップＳ５へ進みＴａ分間給気用送風機３を停止し、ステップＳ１３に進み第３種換気であることの表示を解除する。そして、ステップＳ６へ進み給気用送風機３をＴｂ分間運転した後ステップＳ２へ戻る。
【００２９】
以上のように、外気温が第２設定温度以下になって給気用送風機３を停止し、第３種換気に切替えたとし、これを表示器７に表示するようにしたので、実施の形態１の効果に加えて、使用者が第３種換気であることが容易に知ることが可能なる。これにより、必要に応じて各部屋の壁等に設置してある給気装置（図示せず）のダンパーを手動で開けることにより、給気用送風機３の停止に伴い室内が負圧になることを抑え、安定した換気をすることができる。
【００３０】
実施の形態３．
図６はこの発明の実施の形態２を示す換気装置の平面構成図である。なお、動作フローチャートは実施の形態２の図５と同じである。
図６において、８ａ、８ｂ、８ｃ…は外部に設置された給気装置であり、制御手段６は給気装置制御手段（図示せず）を備える。他は図１と同様である。
【００３１】
次に、この実施の形態の動作を図５を参照して説明する。ステップＳ１〜Ｓ４で外気温を検知し、第２設定温度以下であるとステップＳ７で給気用送風機３を停止してステップＳ１１へ進む。ステップＳ１１では、制御手段６の表示制御手段が第１種換気から第３種換気に切替ったことを表示器７に表示させる。このとき、制御手段６の給気装置制御手段は、第１種換気から第３種換気に切替ったことを検知して各部屋に設置してある給気装置８ａ、８ｂ、８ｃ…のダンパーを開にする。
【００３２】
外気温がステップＳ３で第１設定温度を越え、または、ステップＳ４で第２設定温度を越えている場合、ステップＳ１２、１３で表示制御手段はそれぞれぞれ第３種換気であるという出力を解除し表示をせず、給気装置制御手段は、各部屋に設置してある給気装置８ａ、８ｂ、８ｃ…のダンパーを閉にする。
【００３３】
以上のように、外気温が第２設定温度以下になって給気用送風機３を停止し、第３種換気に切替えたとし、各部屋の給気装置のダンパーを自動で開することにより、給気用送風機３の停止に伴い室内が負圧になることを抑えることがで、住宅全体の安定した換気を継続することができる。
【００３４】
実施の形態４．
本実施の形態は実施の形態１で示した外気温度に対する第１、第２設定温度を、換気装置の使用地域毎に具体的に設定したものである。
構成は実施の形態１の図１と同じであり説明を省略する。動作は動作フローチャートは図２を参照して説明する。
【００３５】
換気装置の使用地域毎の使用温度範囲は、表１に示すように、温暖地が４０〜−１０℃、寒冷地が４０〜−１５℃、極寒冷地が４０〜−２０℃と一般に設定されている。
そして、第１、第２設定温度は各々の使用地域の使用温度範囲の最低温度を目安に定め、第１設定温度は各々の使用地域の使用温度範囲の最低温度より各々５℃高めの温度とし、第２設定温度は各々使用地域の使用温度範囲の最低温度とした。このように、第１、第２設定温度は表１に示すように、温暖地では、各々−５℃、−１０℃、寒冷地では、各々−１０℃、−１５℃、極寒冷地では、各々−１５℃、−２０℃と設定した。
【００３６】
【表１】
0004656777.tif 000002
【００３７】
次に、温暖地で使用する場合について、図２を参照して説明する。ステップＳ１で運転を開始し、ステップＳ２で外気温を検知する。ステップＳ３の第１設定温度＝‐５℃と設定し、外気温が‐５℃を越えていれば通常運転を行いステップＳ２へ戻る。外気温が‐５℃以下であればステップＳ４へ進む。ステップＳ４の第２設定温度＝−１０℃に設定し、外気温が‐１０℃を越えていれば、ステップＳ５へ、‐１０℃以下であればステップＳ７へと進む。以下、ステップＳ５、６は実施の形態１と同様により間欠運転制御手段により間欠運転、ステップＳ７、８は１種３種切替運転手段により、第３種運転が行われる。
【００３８】
次に、寒冷地で使用する場合は、図２に示すように、ステップＳ１で運転を開始し、ステップＳ２で外気温を検知する。ステップＳ３の第１設定温度＝‐１０℃と設定し、外気温が‐１０℃を越えていれば通常運転を行いステップＳ２へ戻る。外気温が‐１０℃以下であればステップＳ４へ進む。ステップＳ４の第２設定温度＝‐１５℃に設定し、外気温が‐１５℃を越えていれば、ステップＳ５へ、‐１５℃以下であればステップＳ６へと進む。以下、ステップＳ５、６は実施の形態１と同様により間欠運転制御手段により間欠運転、ステップＳ７、８は１種３種切替運転手段により、第３種運転が行われる。
【００３９】
次に、極寒冷地で使用する場合は、図２に示すように、ステップＳ１で運転を開始し、ステップＳ２で外気温を検知する。ステップＳ３の第１設定温度＝‐１５℃と設定し、外気温が‐１５℃を越えていれば通常運転を行いステップＳ２へ戻る。外気温が‐１５℃以下であればステップＳ４へ進む。ステップＳ４の第２設定温度＝‐２０℃に設定し、外気温が‐２０℃を越えていれば、ステップＳ５へ、‐２０℃以下であればステップＳ６へと進む。以下、ステップＳ５、６は実施の形態１と同様により間欠運転制御手段により間欠運転、ステップＳ７、８は１種３種切替運転手段により、第３種運転が行われる。
【００４０】
以上のように、各地域に対応した換気装置を、運転切替えを行う設定温度を変えることにより対応し、本体を共通化することによりコストを抑えることができる。
なお、温暖地に対応した換気装置の場合は、通常運転から間欠運転に切替える第１設定温度を‐５℃、間欠運転から第３種運転に切替える第２設定温度を‐１０℃に設定することによって、使用温度範囲を越える温度条件で使用した場合にも、本体１の外表面から結露水が天井へ滴下し、天井を濡らすといったことがなくなる。
また、極寒冷地から温暖地までを対象にした製品の開発において、温暖地を対象とした製品の結露耐力を必要以上に向上させる必要がなくなり、製品コストを抑えることができる。
【００４１】
また、寒冷地に対応した換気装置の場合は、通常運転から間欠運転に切替る第１設定温度を‐１０℃、間欠運転から１種３種切替運転に切替る第２設定温度を‐１５℃に設定することによって、使用温度範囲を越える温度条件で使用した場合にも、本体１の外表面から結露水が天井へ滴下し、天井を濡らすことがなくなる。
また、極寒冷地から温暖地までを対象にした製品の開発において、寒冷地を対象とした製品の結露耐力を必要以上に向上させる必要がなくなり、製品コストを抑えることができる。
また、極寒冷地に対応した換気装置の場合は、通常運転から間欠運転に切替る第１設定温度を‐１０℃、間欠運転から１種３種切替運転に切替る温度第２設定温度を‐１５℃に設定することによって、使用温度範囲を越える温度条件で使用した場合にも、本体１の外表面から結露水が天井へ滴下し、天井を濡らすといったことがなくなる。
また、極寒冷地から温暖地までを対象にした製品の開発において、極寒冷地を対象とした製品の結露耐力を必要以上に向上させる必要がなくなり、製品コストを抑えることができる。
【００４２】
実施の形態５．
本実施の形態は外気温度が、実施の形態１で示した第１、第２設定温度を装置の施工時に任意の値に設定できるようにしたものである。
構成は実施の形態１の図１において、制御装置６に実施の形態１の図２に示した第１、第２設定温度を任意の値に設定する温度設定手段（図示せず）を備え、他は図１と同じであり説明を省略する。
動作は実施の形態１の図２において、ステップＳ３の第１設定温度及びステップＳ４の第２設定温度の値を、本体施工時に制御装置６の温度設定手段により、温暖地と寒冷地の中間である準寒冷地などでは、通常運転から間欠運転に切替る第１設定温度及び、間欠運転から１種３種切替運転に切替る第２設定温度をその地域にあった温度に設定し、また、装置を高温多湿な場所に設置する場合は、通常よりも第１設定温度及び第２設定温度を高めに設定する。その他の動作は、実施の形態１と同じであり、説明を省略する。
【００４３】
以上のように、第１、第２設定温度を任意に設定できるので、装置に設定されていない地域や、機種選択を間違えた場合、また、本体を高温多湿な場所に設置してしまった場合でも、その地域にあった温度や高温多湿な場所に対応した温度に設定し、本体の外側が結露するのを防ぐことができる。また、排気流の風量が低下することを防止することができる。
【００４４】
実施の形態６．
図７はこの発明の実施の形態６を示す換気装置の平面構成図である。図において、９は本体１の外郭に設置された設置場所用温湿度検知器である。また、制御装置６に、温湿度検知器９により検知された温湿度に基づいて、実施の形態１の図２に示した第１、第２設定温度を自動的に設定する自動温度設定手段（図示せず）を備え、他は図１と同じであり説明を省略する。
【００４５】
この構成において、実施の形態１の図２のステップＳ３の第１設定温度及びステップＳ４の第２設定温度の値を、温湿度検知器９により検知された本体設置場所の温湿度に基づいて、制御装置６の自動温度設定手段によりより、本体１の外側に結露が発生しない値に自動設定する。その他の動作は、実施の形態１と同じであり、説明を省略する。
【００４６】
以上のように、設置場所の温湿度を検知する温湿度検知手段により検知された温湿度によって、第１設定温度及び第２設定温度を自動的に設定するので、コンクリート等の住宅では施工直後コンクリートから発生する水分によって、本体１の設置場所は多湿となることがあるが、数年後に本体１の設置場所環境が改善された場合でも、通常運転から間欠運転に切替る第１設定温度及び、間欠運転から１種３種切替運転に切替る第２設定温度の値を、手動にて設定し直す手間を省くことができる。
【００４７】
実施の形態７．
本実施の形態は外気温が、実施の形態１で示した第１設定温度以下または第２設定温度以下でも所定時間、給気用送風機を連続運転できるようにしたものである。構成は実施の形態１の図１において、第１設定温度以下または第２設定温度以下でも所定時間、給気用送風機３を連続運転させる試運転手段（図示せず）を備え、他は図１と同じである。試運転手段は制御装置６内に設けられた試運転スイッチ、または、外部に設置された運転切替スイッチである。
【００４８】
この構成において、制御装置６内に設けられた試運転スイッチ、または外部に設置された運転切替スイッチからの入力により、外気温度検知器５により検知された外気温が、実施の形態１の図２のステップＳ３の第１設定温度以下、または、ステップＳ４の第２設定温度以下でも所定時間給気用送風機３を所定時間連続運転する。
【００４９】
以上のように、外気温度によらず、給気用送風機３を所定時間連続運転をするので、本体１の施工後風量・騒音等を確認するときに、万が一外気温が非常に低く、間欠運転、または第３種換気運転の状態であっても一時的に解除し、給気用送風機５も連続運転され、外気温に影響されることなく試運転の確認を容易に行うことができる。
【００５０】
【発明の効果】
以上のように、第１の発明に係わる換気装置は、室外吸込口から熱交換器を介して室内吹出口に通じる給気風路、室内吸込口から上記熱交換器を介して室外吹出口に通じる排気風路、上記給気風路に設けられた給気用送風機、上記排気風路に設けられた排気用送風機及び上記給気用送風機と上記排気用送風機を制御する制御装置を備えた換気装置において、上記給気風路に設けられた外気温度を検知する外気温度検知手段を備え、給気装置を設け、上記制御装置は、上記外気温度検知手段により検知された外気温度が第１設定温度以下であり、上記第１設定温度よりさらに低い、第２設定温度を越えるとき、上記給気用送風機を所定時間運転及び停止を繰り返す間欠運転制御手段と、上記検知された外気温度が上記第２設定温度以下であるときに、上記給気用送風機を停止し、第３種換気に切り替え、外気温度を検知するため上記給気用送風機を一定周期、最短時間低風量で運転する１種３種切替制御手段と、検知された外気温度が第２設定温度以下となり、第３種換気に切り替えたときに、上記給気装置のダンパーを開ける給気装置制御手段と、を備えたので、冷却された給気流により熱交換器に付着した霜等を、室内からの排気流の熱で熱交換器が暖められ、排気流の風量が著しく低下することを防止することができる。
また、本体１は内面からの冷気により冷やされ本体外表面に結露水等付着し天井への結露水滴下を防ぐことができる。
また、第３種換気運転中の外気温を検知するときにも、給気用送風機のみ低風量運転とするため外気から本体内面への熱伝達率を低くし、かつ外気温を検知するための時間を最小限にすることにより、外気から本体に伝わる伝熱量を最小限に止め、本体の外表面の結露を防ぐことができる。
また、給気装置を設け、制御装置に、検知された外気温度が第２設定温度以下となり、第３種換気に切り替えたときに、上記給気装置のダンパーを開ける給気装置制御手段を備えたので、住宅全体の安定した換気が継続できる。
【００５１】
第２の発明に係る換気装置は、第３種換気に切替えたことを表示する表示手段を備え、制御装置に、検知された外気温度が第２設定温度以下となり、第３種換気に切り替えたことを上記表示手段に表示させる表示制御手段を備えたので、使用者が第３種換気であることが容易に知ることが可能となり、必要に応じて各部屋の壁等に設置してある給気装置のダンパーを手動で開け安定した換気を確保できる。
【００５３】
第３の発明に係る換気装置は、第１設定温度及び第２設定温度を使用地域毎にそれぞれ設定したので、各地域に対応した換気装置を、運転切替えを行う設定温度を変えることにより対応し、本体を共通化することによりコストを抑えることができる。
【００５４】
第４の発明に係る換気装置は、使用地域が温暖地のときは、第１設定温度を−５℃、第２設定温度を−１０℃としたので、極寒冷地から温暖地までを対象にした製品の開発において、温暖地を対象とした製品の結露耐力を必要以上に向上させる必要がなくなり、製品コストを抑えることができる。
【００５５】
第５の発明に係る換気装置は、使用地が寒冷地のときは、第１設定温度を−１０℃、第２設定温度を−１５℃としたので、極寒冷地から温暖地までを対象にした製品の開発において、寒冷地を対象とした製品の結露耐力を必要以上に向上させる必要がなくなり、製品コストを抑えることができる。
【００５６】
第６の発明に係る換気装置は、使用地が極寒冷地のときは、第１設定温度を−１５℃、第２設定温度を−２０℃としたので、極寒冷地から温暖地までを対象にした製品の開発において、極寒冷地を対象とした製品の結露耐力を必要以上に向上させる必要がなくなり、製品コストを抑えることができる。
【００５７】
第７の発明に係る換気装置は、制御装置に、第１設定温度及び第２設定温度を任意に設定することができる温度設定手段を備えたので、もともと製品設定されていない地域や、機種選択を間違えた場合、または、装置を高温多湿な場所に設置した場合でも、本体の外側が結露するのを防ぐことができる。
【００５８】
第８の発明に係る換気装置は、制御装置に、換気装置設置場所の温湿度を検知する温湿度検知手段を備え、上記検知された温湿度によって、第１設定温度及び第２設定温度を自動的に設定する自動温度設定手段を備えたので、コンクリート住宅等で発生する水分によって、装置の設置場所は多湿となることがあるが、数年後に本体の設置場所環境が改善された場合でも、運転切替えをする設定温度を手動にて設定し直す手間を省くことができる。
第９の発明に係わる換気装置は、室外吸込口から熱交換器を介して室内吹出口に通じる給気風路、室内吸込口から上記熱交換器を介して室外吹出口に通じる排気風路、上記給気風路に設けられた給気用送風機、上記排気風路に設けられた排気用送風機及び上記給気用送風機と上記排気用送風機を制御する制御装置を備えた換気装置において、上記給気風路に設けられた外気温度を検知する外気温度検知手段を備え、上記制御装置は、上記外気温度検知手段により検知された外気温度が第１設定温度以下であり、上記第１設定温度よりさらに低い、第２設定温度を越えるとき、上記給気用送風機を所定時間運転及び停止を繰り返す間欠運転制御手段と、上記検知された外気温度が上記第２設定温度以下であるときに、上記給気用送風機を停止し、第３種換気に切り替え、外気温度を検知するため上記給気用送風機を一定周期、最短時間低風量で運転する１種３種切替制御手段と、換気装置設置場所の温湿度を検知する温湿度検知手段と、上記検知された温湿度によって、第１設定温度及び第２設定温度を自動的に設定する自動温度設定手段と、を備えたので、冷却された給気流により熱交換器に付着した霜等を、室内からの排気流の熱で熱交換器が暖められ、排気流の風量が著しく低下することを防止することができる。
また、本体１は内面からの冷気により冷やされ本体外表面に結露水等付着し天井への結露水滴下を防ぐことができる。
また、第３種換気運転中の外気温を検知するときにも、給気用送風機のみ低風量運転とするため外気から本体内面への熱伝達率を低くし、かつ外気温を検知するための時間を最小限にすることにより、外気から本体に伝わる伝熱量を最小限に止め、本体の外表面の結露を防ぐことができる。
また、コンクリート住宅等で発生する水分によって、装置の設置場所は多湿となることがあるが、数年後に本体の設置場所環境が改善された場合でも、運転切替えをする設定温度を手動にて設定し直す手間を省くことができる。
【００５９】
第１０の発明に係る換気装置は、外気温度検知手段により検知された外気温度によらず、給気用送風機を所定時間連続運転をする、試運転手段を備えたので、施工後の風量・騒音等を確認するときに、万が一外気温が非常に低く、間欠運転、または第３種換気運転の状態であっても一時的に解除し、外気温に影響されることなく試運転の確認を容易に行うことができる。
【図面の簡単な説明】
【図１】  この発明の実施の形態１を示す交換装置の平面構造図である。
【図２】  この発明の実施の形態１を示す動作フローチャートである。
【図３】  この発明の実施の形態１を示す交換装置の外気温とタイムチャートの関係を示す図である。
【図４】  この発明の実施の形態２を示す平面構造図である。
【図５】  この発明の実施の形態２、３を示す動作フローチャート。
【図６】  この発明の実施の形態３を示す平面構造図である。
【図７】  この発明の実施の形態４を示す平面構造図である。
【図８】  従来の換気装置を示す平面構造図である。
【符号の説明】
１  換気装置本体、１ａ  室外吸込口、１ｂ  室内吹出口、１ｃ  室内吸込口、１ｄ  は室外吹出口、２  熱交換器、３  給気用送風機、４  排気用送風機、５  外気温度検知器、６  制御装置、７  表示器、８ａ、８ｂ、８ｃ  給気装置、９  設置場所用温湿度検知器。
【図１】
0004656777.tif 000003
【図２】
0004656777.tif 000004
【図３】
0004656777.tif 000005
【図４】
0004656777.tif 000006
【図５】
0004656777.tif 000007
【図６】
0004656777.tif 000008
【図７】
0004656777.tif 000009
【図８】
0004656777.tif 000010